(57)【要約】【課題】医療従事者と患者が診察室等で接触する際に、医療従事者の背後から清浄空気を送風することで、ウイルスを保有した患者の飛沫により、医療従事者が空気感染されることを確実に防止できる感染防止装置および感染防止システムを提供する。【解決手段】感染防止装置１０は、フィルタ１５と、室内の空気をフィルタ１５に通して得られる清浄空気を前方に送る空気送り手段１６とを有するケーシング１４と、ケーシング１４に設けられ、空気感染を防止する医療従事者Ｍを覆って、空気送り手段１６からの清浄空気を前方および下方に向って送る空間を形成するフード４０を有する。【選択図】図３
2011031019.tif 000002
【特許請求の範囲】
【請求項１】
空気浄化用フィルタと、
室内の空気を前記フィルタに通して得られる清浄空気を前方に送る空気送り手段とを有するケーシングと、
前記ケーシングに設けられ、空気感染を防止する対象者を覆って、前記空気送り手段からの前記清浄空気を前記前方および下方に向って送る空間を形成するフードと
を有することを特徴とする感染防止装置。
【請求項２】
前記フードは、遮蔽シートと、該遮蔽シートを保持して回動式で蛇腹状に段階的に前記前方および前記下方に向かって展開する複数の支持用フレームとを有することを特徴とする請求項１に記載の感染防止装置。
【請求項３】
前記遮蔽シートは、各支持用フレームを挿入して保持するための挿入保持部を有し、
各前記支持用フレームの両端部は、それぞれ支持用フレーム組受け部に回動可能に取り付けられていることを特徴とする請求項１に記載の感染防止装置。
【請求項４】
前記支持用フレームは、１本のワイヤー状の部材または長さ方向に複数個所で分割自在であることを特徴とする請求項２または請求項３のいずれかに記載の感染防止装置。
【請求項５】
前記フードの断面は、１／４円の曲線に比べてより急峻な傾斜となるように、基端部から先端部にかけて徐々に曲率半径が小さくされて、先細り形状とされていることを特徴とする請求項１ないし４のいずれかに記載の感染防止装置。
【請求項６】
前記支持用フレーム組受け部は、前記支持用フレームを複数の異なる傾斜角度で保持する角度調整部を有することを特徴とする請求項３ないし５のいずれかに記載の感染防止装置。
【請求項７】
一方の前記支持用フレーム組受け部と他方の前記支持用フレーム組受け部は、それぞれ２つの対向する板状の部材と、前記対向する板状の部材の間に回動可能に取り付けられた端部保持部材とを有し、前記端部保持部材には、前記支持用フレームの端部が着脱可能に取り付けられることを特徴とする請求項３ないし６のいずれかに記載の感染防止装置。
【請求項８】
前記フードの前記遮蔽シートを折りたたんで収納した状態を保持する保持部材を有することを特徴とする請求項２ないし７のいずれかに記載の感染防止装置。
【請求項９】
前記ケーシングの高さ調整が可能であり前記ケーシングに対して着脱可能であるスタンドと、前記スタンドを移動するためのキャスタとを有することを特徴とする請求項１ないし８のいずれかに記載の感染防止装置。
【請求項１０】
第１フィルタと、室内の空気を前記第１フィルタに通して得られる清浄空気を前方に送る空気送り手段とを有する第１ケーシングと、前記第１ケーシングに設けられ、空気感染を防止する対象者を覆って、前記空気送り手段からの前記清浄空気を前記前方および下方に向って送る空間を形成する第１フードと、を有する第１感染防止装置と、
第２フィルタと、前記室内の空気を前記第２フィルタに通して清浄空気に変える第２空気送り手段とを有する第２ケーシングと、
前記第２ケーシングに設けられ、患者を覆って、前記室内の空気を上方および後方に送って前記第２フィルタに通す空間を形成する第２フードとを有する第２感染防止装置と
を有することを特徴とする感染防止システム。
【発明の詳細な説明】
【技術分野】
【０００１】
本発明は、感染防止装置および感染防止システムに関し、特に例えば医療現場等に用いられて医療従事者に対してフィルタを介して清浄空気を送ることで、例えばインフルエンザ等による二次感染を防止する感染防止装置および感染防止システムに関するものである。
【背景技術】
【０００２】
例えば、医師が患者と診察室等で対面して患者を診察する際には、医師の背後に１台の自立架台付きの空気清浄ユニットを配置して、医師から患者に向けて清浄空気を送出する。これにより、インフルエンザ等の空気感染性の疾患等を患う患者から医師への二次感染を防ぐとともに、患者に対して清浄な空気を供給することで、呼吸を楽にすることが開示されている（特許文献１を参照。）。
【先行技術文献】
【特許文献】
【０００３】
【特許文献１】特許第３０６２６９３号公報
【発明の概要】
【発明が解決しようとする課題】
【０００４】
ところが、特許文献１に開示されている空気清浄ユニットは単に垂直に立てて配置されているだけであるので、空気清浄ユニットから供給される清浄空気が水平層流である。このため、例えば医師の背面から清浄空気を送風すると、医師の頭が清浄空気を遮ってしまい、医師の口や鼻の吸引部位には渦流が発生しやすい状態になることから清浄空気が到達しないので、実質上口や鼻の周辺領域である吸引部位を汚染防止できない場合がある。
通常、患者の後方は壁等があり、清浄空気が医師の背後から清浄空気が送風される場合には、清浄空気がその患者を通過して患者から発する汚染された空気が患者の後方の壁に衝突するので、上下左右に拡散する。
【０００５】
しかし、清浄空気が医師の口や鼻の吸引部位に到達できるようにするために、例えば特許文献１の図１１（ｃ）に示すように、空気清浄ユニットを医師と患者の真横に配置する場合には、医師と下流側の壁との距離が大きいと、清浄空気が医師と患者を通過して通過時にウイルスで汚染されて汚染空気となり、この汚染空気が壁に衝突するまでに、汚染空気が室内全域に拡がってしまうおそれがある。
そこで、本発明は、上記課題を解消するために、医師等の医療従事者と患者が診察室等で近接する際に、医療従事者の背後から清浄空気を送風することで、ウイルスを保有した患者の飛沫により、医療従事者が空気感染されることを確実に防止できる感染防止装置および感染防止システムを提供することを目的とする。
【課題を解決するための手段】
【０００６】
本発明の感染防止装置は、空気浄化用フィルタと、室内の空気を前記フィルタに通して得られる清浄空気を前方に送る空気送り手段とを有するケーシングと、前記ケーシングに設けられ、空気感染を防止する対象者を覆って、前記空気送り手段からの前記清浄空気を前記前方および下方に向って送る空間を形成するフードとを有することを特徴とする。
上記構成によれば、医師等の医療従事者と患者が診察室等で接触する際に、医療従事者の背後から清浄空気を送風することで、ウイルスを保有した患者の飛沫により、医療従事者が空気感染されることを確実に防止できる。
【０００７】
本発明の感染防止装置では、前記フードは、遮蔽シートと、前記遮蔽シートを保持して回動式で蛇腹状に段階的に前記前方および前記下方に向かって展開する複数の支持用フレームとを有することを特徴とする。
上記構成によれば、フードは、遮蔽シートと複数の支持用フレームにより簡単な構造であり、使用時には遮蔽シートを展開し、使用しない時にはコンパクトに収納することが簡単にできる。
【０００８】
本発明の感染防止装置では、前記遮蔽シートは、各支持用フレームを挿入して保持するための挿入保持部を有し、各前記支持用フレームの両端部は、それぞれ支持用フレーム組受け部に回動可能に取り付けられていることを特徴とする。
上記構成によれば、各支持用フレームは遮蔽シートの挿入保持部に挿入して、支持用フレーム組受け部により回転させることで、フードを取り外すことが容易であり、使用時には遮蔽シートを展開し、使用しない時にはコンパクトに収納することが簡単にできる。
【０００９】
本発明の感染防止装置では、前記支持用フレームは、１本のワイヤー状の部材または長さ方向に複数個所で分割自在であることを特徴とする。
上記構成によれば、支持用フレームが１本のワイヤー状の部材であれば、部品点数を減らすことができ、支持用フレームが複数個所で分割自在であれば、長い支持用フレームであっても遮蔽シートの挿入保持部に挿入する作業が容易にできる。
【００１０】
本発明の感染防止装置では、前記フードの断面は、１／４円の曲線に比べてより急峻な傾斜となるように、基端部から先端部にかけて徐々に曲率半径が小さくされて、先細り形状とされていることを特徴とする。
上記構成によれば、空気感染を防止する対象者の鼻や口の周囲空間に対応して、清浄空気を前方及び下方のより狭い空間に確実に絞り込んで供給することができる。
【００１１】
本発明の感染防止装置では、前記支持用フレーム組受け部は、前記支持用フレームを複数の異なる傾斜角度で保持する角度調整部を有することを特徴とする。
上記構成によれば、フードは任意の角度で保持できる。
【００１２】
本発明の感染防止装置では、一方の前記支持用フレーム組受け部と他方の前記支持用フレーム組受け部は、それぞれ２つの対向する板状の部材と、前記対向する板状の部材の間に回動可能に取り付けられた端部保持部材と、を有し、前記端部保持部材には、前記支持用フレームの端部が着脱可能に取り付けられることを特徴とする。
上記構成によれば、フードの交換が容易に行える。
【００１３】
本発明の感染防止装置では、前記フードの前記遮蔽シートを折りたたんで収納した状態を保持する保持部材を有することを特徴とする。
上記構成によれば、フードの遮蔽シートを折りたたんで収納した状態を確実に保持できる。
【００１４】
本発明の感染防止装置では、前記ケーシングの高さ調整が可能であり前記ケーシングに対して着脱可能であるスタンドと、前記スタンドを移動するためのキャスタとを有することを特徴とする。
上記構成によれば、ケーシングとフードの高さを調整でき、しかも感染防止装置は使用時と使用しない時にキャスタを用いて自由に移動可能である。
【００１５】
本発明の感染防止システムは、第１フィルタと、室内の空気を前記第１フィルタに通して得られる清浄空気を前方に送る空気送り手段とを有する第１ケーシングと、前記第１ケーシングに設けられ、空気感染を防止する対象者を覆って、前記空気送り手段からの前記清浄空気を前記前方および下方に向って送る空間を形成する第１フードと、を有する第１感染防止装置と、第２フィルタと、前記室内の空気を前記第２フィルタに通して清浄空気に変える第２空気送り手段とを有する第２ケーシングと、前記第２ケーシングに設けられ、患者を覆って、前記室内の空気を上方および後方に送って前記第２フィルタに通す空間を形成する第２フードと、を有する第２感染防止装置と、を有することを特徴とする。
上記構成によれば、医師等の医療従事者と患者が診察室等で接触する際に、医療従事者の背後から清浄空気を送風することで、ウイルスを保有した患者の飛沫により、医療従事者が空気感染されることを確実に防止できる。
【発明の効果】
【００１６】
本発明は、医師等の医療従事者と患者が診察室等で接触する際に、医療従事者の背後から清浄空気を送風することで、ウイルスを保有した患者の飛沫により、医療従事者が空気感染されることを確実に防止できる感染防止装置および感染防止システムを提供することができる。
【図面の簡単な説明】
【００１７】
【図１】本発明の感染防止装置の実施形態１を示す斜視図である。
【図２】図１に示す感染防止装置の正面図である。
【図３】図１に示す感染防止装置の使用例を示す側面図である。
【図４】支持用フレームの形状例を示す斜視図である。
【図５】支持用フレームの形状例を示す正面図である。
【図６】支持用フレームの挿入保持部を示す斜視図である。
【図７】支持用フレーム組受け部と支持用フレームの端部と、端部保持部材を示す側面図である。
【図８】図７に示す支持用フレーム組受け部と支持用フレームの端部と、端部保持部材を示す斜視図である。
【図９】端部保持部材が支持用フレーム組受け部に対して回動可能に取り付けられている構造を示す図である。
【図１０】フードがケーシングの内面部に沿ってＺ方向に小さく収納された状態を示す図である。
【図１１】図１１（Ａ）は本発明の実施形態１のフードの形状を示し、図１１（Ｂ）は本発明の実施形態２のフードの形状を示す図である。
【図１２】本発明の実施形態３における支持用フレームを示す図である。
【図１３】本発明の実施形態４である感染防止システムを示す図である。
【発明を実施するための形態】
【００１８】
以下に、本発明の実施形態を図面を参照して説明する。
（実施形態１）
図１は、本発明の感染防止装置の実施形態１を示す斜視図である。図２は、図１に示す感染防止装置の正面図である。図３は、図１に示す感染防止装置の使用例を示す側面図である。
図１と図２に示す感染防止装置１０は、図３に示すように、例えば医療現場等に用いられて医療従事者Ｍに対してフィルタ１５を介して清浄空気Ｂを送ることで、例えば医療従事者Ｍがインフルエンザ等による二次感染を防止する装置である。
【００１９】
図１と図２に示す感染防止装置１０は、空気清浄ユニットとも呼ぶことができ、本体部１１と、スタンド１２と、フード４０を有している。
図１と図２に示す本体部１１とスタンド１２は、金属により作られ、このスタンド１２は、本体部１１を床面１３に対して、Ｚ方向（垂直方向）に自立させて保持している。本体部１１は、箱型のケーシング１４を有している。ケーシング１４は、内面部１４Ａと、外面部１４Ｂと、側面部１４Ｃ、１４Ｄと、上面部１４Ｅと、下面部１４Ｆを有する。
図３に示すように、内面部１４Ａには、矩形の開口部である吹出口２０が形成され、外面部１４Ｂには、吸入口２１が形成されている。吹出口２０と吸入口２１は対面している。この吸入口２１にはプレフィルタ２１Ｆが配置されている。
【００２０】
ケーシング１４はファンフィルタユニットを構成している。このケーシング１４には、例えば、１つのフィルタ１５と、空気送り手段としての２つの電動ファン１６と、スイッチ１７と、制御部１８を有している。電動ファンは、後述するように軸流ファンであると好ましい。
図１と図２に示すように、フィルタ１５は、ケーシング１４内に収容され、吹出口２０に対応して配置されている。電動ファン１６は、ケーシング１４内に配置され、吸入口２１に対応して配置されている。スイッチ１７は、内面部１４Ａの下部に配置されている。制御部１８は、電動ファン１６とスイッチ１７に電気的に接続されている。
制御部１８は、商用電源に接続する接続コード１９Ｒを有する。医療従事者Ｍが、スイッチ１７をオンすると、制御部１８の指令により電動ファン１６が動作する。電動ファン１６が動作すると、図３に示すように室内空気Ａが、プレフィルタ２１Ｆを通ってケーシング１４内に取り込まれて、フィルタ１５を通過して清浄空気Ｂとなり、清浄空気Ｂは吹出口２０から医療従事者Ｍに対して吹き出されるようになっている。
【００２１】
図１と図３に示すように、スタンド１２は、少なくとも本体部１１を着脱可能にしかもＺ方向に上下位置の調整可能に保持している。スタンド１２は、本体部１１の取付部２１と、背面パネル２２と、左右の支持部材２３と、左右の脚部２４と、フード取付部２５を有している。取付部２１は、例えばスタンド１２の上部に埋め込まれたインサートナットと本体部１１の下部のボルトとにより固定している。フード取付部２５と背面パネル２２は例えば一体物であり、左右の支持部材２３に対して、例えばボルトとナットにより、着脱可能に取り付けられている。
【００２２】
図３に示すように、左右の支持部材２３には高さ調整用のボルト２６が取り付けられている。左右の支持部材２３と脚部２４とはこのボルト２６で締結されている。このボルト２６を緩めることで、左右の支持部材２３に対する左右の脚部２４のＺ方向の高さを調整し、そして再度ボルト２６を締めることで、床面１３からの本体部１１のＺ方向の高さ位置を調整できる。図２に示すように、左右の脚部２４はＹ方向のサポート部材２３Ｂにより固定されている。
【００２３】
左右の脚部２４の下部は、それぞれ支持ベース２７が設けられている。これらの支持ベース２７は、断面四角のパイプ状の基部２８と、この基部２８の両端部から拡張可能な拡張部材２９を備える。拡張部材２９にはキャスタ３１が設けられている。
調整ボルト３０を緩めることで、拡張部材２９は基部２８からＸ方向に沿って前後に伸長して拡張でき、あるいは基部２８内に入れ込むことができる。これにより、支持ベース２７のＸ方向の支持幅を調整して、感染防止装置１０を安定して支持することができる。
【００２４】
図１に示すように、２つの取手１９が、本体１１の取付部２１と支持部材２３の間に設けられている。感染防止装置１０は、これらの取手１９を持つことで床面１３上を自由に安全に移動できる。
上述した本体部１１とスタンド１２は、取付部２１により分割線Ｓにおいて着脱自在に分割できる。しかも、スタンド１２では、取付部２１と背面パネル２２と左右の支持部材２３とフード取付部２５と左右の脚部２４と支持ベース２７は、好ましくは着脱可能に分解することができる。これにより、感染防止装置１０を各位パーツに分けるので運搬が容易になり、例えば診察室等で感染防止装置１０組み立てる作業が容易である。
【００２５】
次に、図１〜図３に示す蛇腹型のフード４０の構造について説明する。
図１と図２に示すように、フード取付部２５は、左右の支持用フレーム組受け部４１を有している。図１と図３に示すように、フード４０は、複数本の支持用フレーム５１，５２，５３，５４，５５と、これらの支持用フレーム５１，５２，５３，５４，５５により、展開および収納可能に保持される遮蔽シート６０を有する。この遮蔽シート６０は、例えば透明のプラスチックシートであり、一例としてポリエチレンシートを用いることができる。なお、支持用フレームの本数は特に限定されない。
【００２６】
図３に示すように、支持用フレーム組受け部４１は、複数本の支持用フレーム５１，５２，５３，５４，５５の両端部を着脱可能に固定している。図５は、支持用フレーム５１，５２，５３，５４，５５の形状例を示す正面図である。
支持用フレーム５１，５２，５３，５４，５５は、例えば図４に示すようなワイヤーを用いることができ、棒状もしくは線状のプラスチックワイヤーや金属ワイヤーあるいはカーボンファイバである。支持用フレーム５１，５２，５３，５４，５５は、直線部分５７と円弧部分５８を有する。図５に示すように、支持用フレーム５１が最も小さく、フード５２，５３，５４，５５に至るに従って少しずつ大きくなっている。このような１本もののワイヤー状の部材であれば、部品点数を減らすことができる。
【００２７】
図１と図３に示すように、遮蔽シート６０は、支持用フレームの挿入保持部６１，６２，６３，６４，６５を有している。支持用フレームの挿入保持部６１，６２，６３，６４，６５は、図６に示すようにチューブ状または袋状に形成されている。これらの支持用フレームの挿入保持部６１，６２，６３，６４，６５には、支持用フレーム５１，５２，５３，５４，５５が、Ｅ方向にそれぞれ挿入できる。このように、支持用フレームは遮蔽シートの挿入保持部に挿入して、支持用フレーム組受け部により回転させることで、使用時には遮蔽シートを展開し、使用しない時にはコンパクトに収納することが簡単にできる。
【００２８】
図７は、支持用フレーム組受け部４１と支持用フレーム５１，５２，５３，５４，５５の端部５１Ｒ，５２Ｒ，５３Ｒ，５４Ｒ，５５Ｒと、端部保持部材７１〜７５を示す側面図である。図８は、図７に示す支持用フレーム組受け部４１と支持用フレーム５１，５２，５３，５４，５５の端部５１Ｒ，５２Ｒ，５３Ｒ，５４Ｒ，５５Ｒと、端部保持部材７１〜７５を示す斜視図である。
図７と図８に示すように、端部保持部材７１〜７５は、筒状部分７６と、ボルト穴７７Ｈを有する板状の取付部７７を有している。図７に示すように、筒状部分７６には、支持用フレーム５１，５２，５３，５４，５５の端部５１Ｒ，５２Ｒ，５３Ｒ，５４Ｒ，５５Ｒを着脱可能に挿入可能である。
【００２９】
図９には、端部保持部材７１〜７５が支持用フレーム組受け部４１に対して、ボルト７９の位置で回動可能に取り付けられている構造を示している。
図９に示す支持用フレーム組受け部４１は、図１と図３に示すように、フード取付部２５の左右の位置にそれぞれ設けられている。左右の支持用フレーム組受け部４１は、Ｘ方向に沿って平行に突出して形成され、ほぼ半円形状の一対の板状の部材７８を有している。図９に示すように、一対の板状の部材７８の間には、端部保持部材７１〜７５が位置されている。ボルト７９は、板状の部材７８のボルト穴７８Ｈと取付部７７のボルト穴７７Ｈに通し、２つのスペーサ８１を介在させて、ナット８０により着脱可能に固定されている。
これにより、各支持用フレームは遮蔽シートの挿入保持部に挿入して、支持用フレーム組受け部により回転させることで、フードを取り外すことが容易であり、使用時には遮蔽シートを展開し、使用しない時にはコンパクトに収納することが簡単にできる。
【００３０】
また、図８と図９に示すように、板状の部材７８の内面には、係止部として、例えばストッパ８２が少なくともひとつ突出して設けられている。端部保持部材７１にはストッパ８２が当接することにより、係止するようにされている。これにより、ストッパ８２は端部保持部材７１に圧接してこれを保持するので、フードは任意の角度で保持でき、端部保持部材７１は最下位置Ｎ１、中間位置Ｎ２、そして最上位置Ｎ３にそれぞれ任意に角度調整することができる。図７に示すように、各端部保持部材７１のボルト７９は、直線Ｇに沿って配列されている。
【００３１】
フード４０について上記のような回動式で蛇腹型の構成を採用することで、図３に示すように遮蔽シート６０を段階的に、Ｒ１方向に沿って前方および下方に向けて下ろすことができるようになっている。また、図１０に示すように、フード４０の遮蔽シート６０は、支持用フレーム５１，５２，５３，５４，５５と端部保持部材７１〜７５をＲ２方向に上げることにより、フード４０は本体部１１の内面部１４Ａに沿ってＺ方向に小さくコンパクトに収納することができる。
しかも、図１０に示すように、例えば、フード４０の収納に際しては、図示するように断面がほぼＬ字状の保持用金具８５を用いることができる。保持用金具８５は、基端部が本体１１の上面に矢印ａ方向に回動可能であって、しかも矢印ｂ方向に移動可能に構成されている。状態は、
通常はケーシング１４である本体１１の上面部１４において、矢印ｂ方向の収納方向（図１０において右方）に移動収納しておき、使用時に左方に引っぱり出して、矢印ａ方向に回動させて、フード４０の各支持用フレームを束ねて保持できるようにされている。これにより、フード４０が不用意にＲ１方向に展開することを防ぐことができる。
【００３２】
図１１（Ａ）は、フード４０の遮蔽シート６０が展開されている状態を示す側面図である。フード４０の遮蔽シート６０の取付端部６０Ｔは、本体部１１の内面部１４Ａに対して、取付テープ部材９０により固定されている。この取付テープ部材９０は、面ファスナーのように、一方のテープ９１と他方のテープ９２を着脱可能に貼り付けるようになっている。
これにより、フード４０の遮蔽シート６０の取付端部６０Ｔは、本体部１１の内面部１４Ａから取り外して交換し、あるいは遮蔽シート６０をクリーニングすることができ、メンテナンスが容易である。
【００３３】
次に、上述した感染防止装置１０の使用例を説明する。
図３を参照すると、感染防止装置１０が例えば診察室内の床面１３に置かれる。この際に、感染防止装置１０は医療従事者Ｍの背後に置かれる。医療従事者Ｍは、本体部１１を背にして座り、患者Ｔは医療従事者Ｍに対して対面して座る。フード４０の遮蔽シート６０が、支持用フレーム５１，５２，５３，５４，５５を用いてＲ１方向に展開される。これにより、遮蔽シート６０は、医療従事者Ｍの頭部Ｈと肩部Ｆの周囲を覆う。フード４０の遮蔽シート６０は、段階的に斜め下方に降ろして、フィルタ１５の上部から前方および下方に向かって空間を形成するようになっている。
【００３４】
図３に示す医療従事者Ｍが、図１に示すスイッチ１７をオンすると、図３の制御部１８の指令により動作する。図３の電動ファン１６が動作すると、室内空気Ａが、ケーシング１４内に取り込まれて、そしてフィルタ１５を通過して清浄空気Ｂとなる。
この清浄空気Ｂは、吹出口２０から医療従事者Ｍに対して吹き出される。吹き出された清浄空気Ｂは、フード４０の遮蔽シート６０の機能に基づいて、該フード６０の内面に沿って、上部から前方および下方に向かって進み、医療従事者Ｍの口と鼻に近接した周辺領域、すなわち、呼吸する空気が存在する領域を通過して、遮蔽シート６０内から診察室内に吹き出される。
感染防止装置１０は清浄空気を医療従事者Ｍから患者Ｔ方向に吹き出すようにしているので、患者Ｔの背面に壁や衝立等があれば好ましいが、診察室の部屋全体に吹き出した汚染空気が拡散することはなく感染防止装置１０に吸入されるので、効率よく室内の循環清浄ができる。
【００３５】
このような経路に沿って、感染防止装置１０のフード４０から清浄空気Ｂが医療従事者Ｍの背後から鼻と口の吸引部位に向けて吹き出される。従って、感染防止装置１０は、医師等の医療従事者Ｍと患者Ｔが診察室等で接触する際に、医療従事者Ｍの背後から清浄空気を送風することで、新型ウイルス等に感染した患者Ｔの飛沫により、医療従事者Ｍが空気感染（二次感染）されることを確実に防止できる。また、清浄空気Ｂが感染防止装置１０の後方へ拡散しないように、背面パネル２２は無開口としている。
【００３６】
感染防止装置１０のフィルタ１５の吹き出し口側に回動式の蛇腹型のフード４０を設けられ、医師等の医療従事者Ｍの口や鼻の吸引部位に対して確実に清浄空気を供給できるので、クリーンブース等の大掛かりな装置を使用しなくても済む。回動式の蛇腹型のフード４０を設けているので、フード４０の先端部の位置は、医療従事者Ｍの口や鼻の吸引部位の高さに合わせて自在に調整することができる。医療従事者Ｍがフード４０をかぶるので、患者Ｔがくしゃみをした時に飛んだ飛沫が医療従事者Ｍにかかることを防止できる。また、ケーシング１１の高さ位置を調整することで、フード４０は、医療従事者Ｍの口や鼻の吸引部位の高さに合わせて自在に調整することができる。
【００３７】
図８に示す例のように、少なくとも端部保持部材７１，７２は、一番下までおろした位置（Ｎ１等）と、それぞれ一番下位の位置よりもやや上の中間位置Ｎ２、Ｎ３にそれぞれ任意に角度調整することで、図３に示す遮蔽シート６０の先端部分６０Ｗの位置をＲ２方向に少し持ち上げて保持することができる。これにより、医療従事者Ｍは、必要に応じて例えばカルテに記入するなどの作業の場合には、遮蔽シート６０の先端部分６０Ｗの位置をＲ２方向に少し持ち上げることができる。
【００３８】
なお、感染防止装置１０を使用しない場合には、図１０に示すように、フード４０の遮蔽シート６０は本体部１１の内面部１４Ａに沿ってＺ方向に小さく収納することができる。しかも、フード４０の収納状態は、保持部材８５を用いて本体部１１側に保持できる。
これにより、感染防止装置１０を使用しない時には、コンパクトに収納して常備でき、フード４０が不用意にＲ１方向に展開することを防ぐことができる。
遮蔽シート６０が例えば破れたりして遮蔽シート６０を交換したい場合には、遮蔽シート６０を取付テープ部材９０の部分で取り外して、その後遮蔽シート６０から支持用フレーム５１，５２，５３，５４，５５を抜いて、支持用フレーム５１，５２，５３，５４，５５を新たな遮蔽シート６０に通して、図７に示すように支持用フレーム５１，５２，５３，５４，５５の端部５１Ｒ，５２Ｒ，５３Ｒ，５４Ｒ，５５Ｒを端部保持部材７１〜７５にはめ込めば良い。このため、遮蔽シート６０の交換は容易に行える。
【００３９】
次に、本発明の別の実施形態を説明する。なお、以下に説明する本発明の別の実施形態では、図１〜図１１（Ａ）に示す実施形態１の構成と共通する構成には同一の符号を付して、詳しい説明は省略する。
（実施形態２）
図３と図１１（Ａ）に示す本発明の実施形態１では、フード４０の遮蔽シート６０は、段階的に斜め下方に降ろして、フィルタ１５の上部から前方および下方に向かって空間を遮蔽するようになっている。この遮蔽シート６０の横から見た断面は、１／４円の曲線を形成しており、最下部６０Ｗの半径方向の長さＬ１は、内端部６０Ｖの半径方向の長さＬに対してやや小さい。つまり、フード４０の固定部と可動部の断面積がほぼ同じである。
【００４０】
これに対して、図１１（Ｂ）に示す本発明の実施形態２では、フード４０Ａの遮蔽シート６０Ａの横から見た断面は、１／４円の曲線よりも急峻に形成されている。すなわち、フード４０Ａの基端部から先端部にかけてその外縁が形成する曲線の曲率半径が徐々に小さくなるようにされている。これにより、フード４０の固定部から可動部にかけて断面積が小さくなるようにしている。このため、最下部６０Ｗの半径方向の長さＬ２は、内端部６０Ｖの半径方向の長さＬと長さＬ１に比べてかなり小さくすることで、清浄空気Ｂ１の流れを絞るようにしている。これにより、清浄空気Ｂを、医療従事者Ｍの口と鼻に近接した呼吸用空気が存在する領域に、より収束させて送り込むことができる。従って、実施形態２の感染防止装置では、医師等の医療従事者Ｍと患者Ｔが診察室等で接触する際に、医療従事者のＭ背後から清浄空気を送風することで、ウイルスを保有した患者Ｔの飛沫により、医療従事者Ｍが空気感染されることを、より確実に防止できる。
【００４１】
（実施形態３）
図１２は、本発明の実施形態３を示す斜視図である。なお、以下に説明する本発明の別の実施形態では、図１〜図１１（Ａ）に示す実施形態１の構成と共通する構成には同一の符号を付して、詳しい説明は省略する。
図４に示す実施形態１の支持用フレーム５１〜５５は、一本のワイヤー状の部材である。これに対して、図１２に示す支持用フレーム５１Ｃ〜５５Ｃは、例えばプラスチックや金属で作られている。支持用フレーム５１Ｃ〜５５Ｃは、長さ方向に沿って例えば５分割されており、分割部材９１，９２，９３，９４，９５から構成されている。なお、支持用フレームの分割数は５つに限らない。
【００４２】
分割部材９１は挿入部分９１Ｔ、９１Ｓを有し、分割部材９２は挿入部分９２Ｓを有し、分割部材９３は挿入部分９３Ｓを有し、分割部材９４は挿入部分９４Ｓを有し、分割部材９５は挿入部分９５Ｓを有している。挿入部分９１Ｔ、９１Ｓはそれぞれ挿入穴８９Ｈ、９２Ｈにはまり込み、挿入部分９２Ｓは挿入穴９３Ｈにはまり込み、挿入部分９３Ｓは挿入穴９４Ｈにはまり込み、挿入部分９４Ｓは挿入穴９５Ｈにはまり込み、そして挿入部分９５Ｓは挿入穴９６Ｈにはまり込む。このように支持用フレーム５１Ｃ〜５５Ｃが長さ方向に分割できるようにすることで、分割されていない１本タイプの支持用フレームに比べて遮蔽シートに対して簡単に挿入できる。
【００４３】
（実施形態４）
図１３は、本発明の実施形態４である感染防止システムを示す側面図である。なお、以下に説明する本発明の別の実施形態では、図１〜図１１（Ａ）に示す実施形態１の構成と共通する構成には同一の符号を付して、詳しい説明は省略する。
図３に示す本発明の実施形態１では、感染防止装置１０がいわゆる空気を吹き出すプッシュ型の空気清浄ユニットであり、医者等の医療従事者Ｍ側だけに設定されている。
図１３に示す本発明の実施形態４であるおよび感染防止システム２００では、第１感染防止装置１０が医者等の医療従事者Ｍ側に設定されているだけではなく、第２感染防止装置１０Ｄが患者Ｔ側に設定されている。
第２感染防止装置１０Ｄは、いわゆる気空気を吸引するプル型の空気清浄ユニットである。すなわち、第２感染防止装置１０Ｄのフード４０内には、患者Ｔの頭部と肩部が位置されている。第１感染防止装置１０と第２感染防止装置１０Ｄは、基本的に同じ構造を有しており、間隔をおいて対面している。
【００４４】
このように、感染防止システム２００は、第１感染防止装置１０と第２感染防止装置１０Ａを有する。第１感染防止装置１０は、図１〜図１０に示す感染防止装置１０と同じ構成であり、第１フィルタ１５と、室内の空気を第１フィルタ１５に通して得られる清浄空気Ｂを前方に送る空気送り手段としての電動ファン１６とを有する第１ケーシング１４と、第１ケーシング１４に設けられ、空気感染を防止する対象者である医療従事者Ｍを覆って、電動ファン１６からの清浄空気Ｂを前方および下方に向って送る空間を形成する第１フード４０を有する。
また、第２感染防止装置１０Ｄは、第２フィルタ１５Ｄと、室内の空気Ｃを第２フィルタ１５Ｄに通して清浄空気Ｄに変える第２空気送り手段としての電動ファン１６Ｄとを有する第２ケーシング１４Ｄと、第２ケーシング１４Ｄに設けられ、患者Ｔを覆って、室内の空気Ｃを上方および後方に送って第２フィルタ１５Ｄに通す空間を形成する第２フード４０Ｄとを有する。
【００４５】
感染防止装置１０Ｄの電動ファン１６は、感染防止装置１０の電動ファン１６とは逆方向に回転して汚染された室内の空気Ｃを吸引する。これにより、感染防止装置１０のフード４０から室内に吹き出されて汚染されている空気は、感染防止装置１０Ｄのフード４０Ｄ内に吸引され、患者Ｔを通過して、汚染されている空気Ｃが患者Ｔの後のフィルタ１５を通過して清浄空気Ｄとして室内に放出される。
これにより、２台の感染防止装置１０，１０Ｄを対面して使用することにより、診察室等の室内全体に汚染空気が拡散することがなく、素早くその場で空気清浄をして室内に吹き出すことができ、診察室等の室内空気が汚染されることを極力防止することができる。
従って、診察室等の室内の空気清浄度を維持できる。医師等の医療従事者Ｍと患者Ｔが診察室等で接触する際に、医療従事者Ｍの背後から清浄空気を送風することで、ウイルスを保有した患者Ｔの飛沫により、医療従事者Ｍが空気感染されることを、より確実に防止できる
【００４６】
本実施形態に記載した構造の作用効果を確認するため、本発明者等が検証したところ、以下のような結果が得られている。
図３において、医療従事者Ｈが患者Ｔと対面している状態において、高さ的には、医療従事者Ｈの顔面の鼻および口の近傍を想定し、本体部１１の前面から４００ｍｍ程度離間し、床から１３００ｍｍの位置の０．１立方フィートの空間において、数種の粒子径に対応した粒子数を計測することにより、清浄度を確認した。因みに、清浄度は計測される粒子数が少ないほど清浄であることを意味する。
【００４７】
フード４０を取り去って、本体部１１から送風を送らない状態、すなわち、感染防止装置が全く使用されない状態においては、直径０．３μｍ（マイクロメートル）程度の粒子（以下、「Ａ粒子」という）が、１５９，５５０個、直径０．５μｍ程度の粒子（以下、「Ｂ粒子」という）が、１４，８７４個、直径１．０μｍ程度の粒子（以下、「Ｃ粒子」という）が、２，１０４個、直径３．０μｍ程度の粒子（以下、「Ｄ粒子」という）が、９０個、直径５．０μｍ程度の粒子（以下、「Ｅ粒子」という）が、２６個であった。
次に、フード４０なしで、本体部１１から送風だけ（風速０．３ｍ／秒）を行った場合には、Ａ粒子は１００，０８８個、Ｂ粒子は７，７０８個、Ｃ粒子は１，１１１個、Ｄ粒子は７４個、Ｅ粒子は２０個であった。
フード４０が無いと、送風を行っても、清浄空間を形成する効果はほとんど期待できないことがわかる。
【００４８】
次に、本実施形態のフード４０を装着した状態で、上記と同じ条件で送風しつつ、該フード４０を段階的に引き下ろして上記した計測を行った。
先ず、本体部１１の前面と、引き下ろしたフード４０の先端とを結ぶ仮想の直線がなす角度θが約３５度、すなわち、フード４０の先端位置が、医療従事者の頭部の一部を覆う程度に下げた場合（第１の引き下ろし位置）においても、本体部１１からの風は図３の矢印Ｂ方向にある程度導かれる結果、以下のような計測値が得られた。
すなわち、Ａ粒子は１９７個、Ｂ粒子は１５個、Ｃ粒子は２個、Ｄ粒子は０個、Ｅ粒子も０個であった。
【００４９】
次に、本体部１１の前面と、引き下ろしたフード４０の先端とを結ぶ仮想の直線がなす角度θが約５５度、すなわち、フード４０の先端位置が、医療従事者の頭部の鼻と口の間の箇所付近まで覆う程度に下げた場合（第２の引き下ろし位置）においては、本体部１１からの風は、図３の矢印Ｂ方向にほぼ完全に導かれる結果、以下のような計測値が得られた。
すなわち、Ａ粒子は３個、Ｂ粒子は０個、Ｃ粒子は０個、Ｄ粒子は０個、Ｅ粒子も０個であった。
【００５０】
さらに、フード４０を引き下ろして、本体部１１の前面と、引き下ろしたフード４０の先端とを結ぶ仮想の直線がなす角度θが約７５度、すなわち、フード４０が、医療従事者の顔面をほぼ完全に覆う程度に下げた場合（第３の引き下ろし位置）においても、本体部１１からの風は、図３の矢印Ｂ方向にほぼ完全に導かれる結果、以下のような計測値が得られた。
すなわち、Ａ粒子は１個、Ｂ粒子は０個、Ｃ粒子は０個、Ｄ粒子は０個、Ｅ粒子も０個であった。
【００５１】
上記本発明の実施形態では、電動ファンとしては、軸流ファン（軸流吹出）、シロッコファン（横吹出）、遠心ファン（斜め吹出）等を採用できるが、特に限定されない。ケーシングの薄型化とコンパクト化をするために、軸流ファンは、所望の風量に応じて単数ないし複数台使用することが好ましい。
室内で使用することから、低騒音機能付与のために、ファンフィルタユニットのケーシングの内側に吸音材を貼るか、電動ファンの近傍にアクティブ（逆位相）消音装置を取り付けることもできる。ケーシングの薄型化を図り、ケーシングの低重心化を図るために、電動ファンはフィルタの下側に配置することもできる。
【００５２】
フィルタは、菌が対象であれば中性能フィルタに防黴処理をしたものを使用できるが、ウイルスが対象であれば、ガラス繊維濾紙製、ＰＴＦＥ膜濾紙製、エレクトレット濾紙製のＨＥＰＡ，ＵＬＰＡを使用すれば、室内に一度拡散したウイルスをも捕集することができるので、好ましい。図３に示すように、電動ファン１６の前には、プレフィルタ２１Ｆを配置することで、空気中の綿などの埃を除去することができるが、プレフィルタとしてはガラス繊維、不織布、フェルト等を採用できる。またプレフィルタには、二酸化塩素等の殺菌効果のある薬剤を吹き付けることもできる。
ファンフィルタユニットは、ファンとフィルタをケーシング内に取り付けて固定したものである。ケーシングの材質としては、塗装鋼板製、ステンレス製、ガルバ二ウム鋼板製等のものを使用できるが、菌やウイルスを対象としているので、ステンレス製が好ましい。ファンに菌やウイルスが付着することを考慮して、吸込口にファンを設け、吹出口側にフィルタを設けた構造が好ましい。
【００５３】
フードは、空気指向性とコンパクト性を考慮して、吹出口にファンフィルタユニットと連接して回動式のフードを使用することができる。フードの材質は、防黴と抗菌加工した合成樹脂シートや金属膜等が使用できるが、透明で見えることを考慮して透明合成樹脂シートが好ましい。支持用フレームは、特別な材質である必要な無く、例えばベビーカ等で使用されているものを採用できる。
また、支持フレームは遮蔽シートの支持用フレームの挿入保持部の全てに挿入することが好ましいが、フードの遮蔽シートの取付端部を本体部の内面部に取付テープ部材で固定していれば少なくとも最先端の支持フレームに対応する支持用フレームの挿入保持部だけ挿入して、それ以外の支持フレームに対応するところは遮蔽シートを支持フレームの上に被せるだけでも良い。
また、フードの取り付けは、取付テープ部材で取り付け固定しても、また取付バー部材を用いてフードのシートを挟み込みビス等で共締することもできる。
また、フードの収納は、通常はケーシングの上面部に収納しておき使用時に前方に引っぱり出し回転して保持するような機構を持った保持金具を用いて本体部側に保持しても、あるいはフード端部に固定した保持テープを本体部側に面ファスナー等で保持すること等、種々の方法を採用することができる。
スタンドは、図１に示すようにＴ字型の構造を有しており、高さを多段階で調整できるものが好ましい。スタンドの床面側にはコロ等のキャスタを取り付けることで、感染防止装置は診療室等の室内を自由自在に移動できるので、使用時の設定と不使用時の片付ける作業が容易にできる。
【００５４】
本発明は上記実施形態に限定されない。
本発明の感染防止装置は、例えば新型インフルエンザ等の院内感染（空気感染）の対策に有効であるが、医務室等の医療従事者や患者に適用するだけでなく、博覧会や美術館等におけて展示品をフード内に配置して、展示品への局所的な空気清浄にも適用できる。
本発明で利用されるフードは、実施形態に記載のように、蛇腹式に展開される部分円筒状のものに限られない。例えば、本体部１１の前面上部から庇状に張出す板体を前方へ向けて徐々に下降させるような形態で実現してもよい。
【符号の説明】
【００５５】
１０        感染防止装置
１１        本体部
１２        スタンド
１４        ケーシング
１５        フィルタ
１６        空気送り手段としての電動ファン
１７        スイッチ
２０        吹出口
２１        吸入口
２５        フード取付部
２７        支持ベース
４０        フード
４１        支持用フレーム組受け部
５１，５２，５３，５４，５５    支持用フレーム
６０        遮蔽シート
６１，６２，６３，６４，６５    支持用フレームの挿入保持部
７１〜７５  端部保持部材
７８        板状の部材
８２        ストッパ
８９Ｘ      角度調整部
９０        保持部材
２００      感染防止システム
【図１】
2011031019.tif 000003
【図２】
2011031019.tif 000004
【図３】
2011031019.tif 000005
【図４】
2011031019.tif 000006
【図５】
2011031019.tif 000007
【図６】
2011031019.tif 000008
【図７】
2011031019.tif 000009
【図８】
2011031019.tif 000010
【図９】
2011031019.tif 000011
【図１０】
2011031019.tif 000012
【図１１】
2011031019.tif 000013
【図１２】
2011031019.tif 000014
【図１３】
2011031019.tif 000015
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
空気浄化用フィルタと、
室内の空気を前記フィルタに通して浄化するために、後方に、すなわち該フィルタに向かうように送る空気送り手段と
を有するケーシングと、
前記ケーシングに設けられ、空気感染を発生させる者を覆って、前記空気送り手段の作用により前記室内の空気を前記後方および上方に向って送る空間を形成するフードと
を有することを特徴とする感染防止装置。
【請求項２】
前記フードは、遮蔽シートと、該遮蔽シートを保持して回動式で蛇腹状に段階的に前記空気感染を発生させる者の前方および前記下方に向かって展開する複数の支持用フレームとを有することを特徴とする請求項１に記載の感染防止装置。
【請求項３】
前記遮蔽シートは、各支持用フレームを挿入して保持するための挿入保持部を有し、
各前記支持用フレームの両端部は、それぞれ支持用フレーム組受け部に回動可能に取り付けられていることを特徴とする請求項１に記載の感染防止装置。
【請求項４】
前記支持用フレームは、１本のワイヤー状の部材または長さ方向に複数個所で分割自在であることを特徴とする請求項２または請求項３のいずれかに記載の感染防止装置。
【請求項５】
前記フードの断面は、１／４円の曲線に比べてより急峻な傾斜となるように、基端部から先端部にかけて徐々に曲率半径が小さくされて、先細り形状とされていることを特徴とする請求項１ないし４のいずれかに記載の感染防止装置。
【請求項６】
前記支持用フレーム組受け部は、前記支持用フレームを複数の異なる傾斜角度で保持する角度調整部を有することを特徴とする請求項３ないし５のいずれかに記載の感染防止装置。
【請求項７】
一方の前記支持用フレーム組受け部と他方の前記支持用フレーム組受け部は、それぞれ２つの対向する板状の部材と、前記対向する板状の部材の間に回動可能に取り付けられた端部保持部材とを有し、前記端部保持部材には、前記支持用フレームの端部が着脱可能に取り付けられることを特徴とする請求項３ないし６のいずれかに記載の感染防止装置。
【請求項８】
前記フードの前記遮蔽シートを折りたたんで収納した状態を保持する保持部材を有することを特徴とする請求項２ないし７のいずれかに記載の感染防止装置。
【請求項９】
前記ケーシングの高さ調整が可能であり前記ケーシングに対して着脱可能であるスタンドと、前記スタンドを移動するためのキャスタとを有することを特徴とする請求項１ないし８のいずれかに記載の感染防止装置。